(57)【特許請求の範囲】
【請求項１】
釘打機本体の先端に設けられ、マガジンから供給された連結釘の先頭釘を打ち出すための釘打機のノーズ部において、ノーズ部内側の前壁には、上記先頭釘の頭部をガイドする上部溝と、先頭釘の連結帯に干渉しないように逃がす中間溝と、先頭釘の足先をガイドする下部溝とを連続させたガイド溝を形成し、上記各溝の開口幅は同じくするとともに、上記中間溝の溝の深さを上部溝と下部溝よりも深くなるように形成し、上記先頭釘の頭部と足先がそれぞれ上記上部溝と下部溝にそれぞれ係合した姿勢で打撃されることを特徴とする釘打機のノーズ部構造。
【発明の詳細な説明】
【０００１】
【発明の属する技術分野】
本発明は、釘打機本体の先端に設けられ、マガジンから供給された釘を打ち出すノーズ部の構造に関する。
【０００２】
【従来技術】
一般に、釘打機のノーズ部は、マガジン内に装填された連結釘の先頭釘の供給を受けるとともに、釘打機本体に設けられた打撃機構を構成する打撃用ドライバの摺動を案内するものであり、ノーズ部内の先頭釘はドライバによって打撃され、打ち出される。
【０００３】
ところで、連結釘は複数の釘を連結帯を介して連結してなるもので、先頭釘が打撃されたときには次位の釘との間で連結帯が切れる。したがって、連結釘の先頭釘の前部には、その前に打ち出された先頭釘と連結されていた連結帯の一部が残っており、この部分は先頭釘の釘軸の前部に突出している。この先頭釘がノーズ部に送られると、連結帯の前端部ノーズ部の内側の前壁に当たり、釘の送りが不十分となったり、釘の姿勢が不安定になる。このため、図４(a) に示されるように、ノーズ部２２の内側の前壁には、マガジンから供給された先頭釘５ａの連結帯６の前部６ａがノーズ部２の前壁と干渉しないようにするガイド溝１６が形成されている。このガイド溝１６は同時に、ドライバ４によって打ち込まれた先頭釘５ａの頭部及び足先の移動を案内する案内にもなっている。つまり、先頭釘５ａの頭部はガイド溝１６の開口縁に接触し、足先は逃げ溝の溝底に接触した姿勢が正規の姿勢である。頭部が浮いても足先が浮いても、ドライバの打撃を受けたときに足先が後方（マガジン側）に回るようなモーメントが働くから、座屈するおそれがある。
【０００４】
【発明が解決しようとする課題】
しかしながら、ドライバによる打撃時に連結帯が切断されたときの形状は、一定ではなくまちまちであるから、例えば打ち込まれた釘の次位の釘の前部の下部に連結帯の残りが多いと、同図(b) に示されるように、この釘が先頭釘５ａとなってノーズ部２に送り込まれたとき連結帯６の前部６ａの下部がガイド溝内に納まらないため、先頭釘５ａの足先１０が浮いてしまうことがある。同様に、同図(c) に示されるように、連結帯６の前部６ａの上部が多く残ると、先頭釘５ａの頭部と足先１０が浮いてしまったり、頭部９が浮いたりすることがある。この状態で打撃すると、先頭釘５ａの姿勢が不安定なため、座屈や打ち込み不良が生じる原因となる。
【０００５】
本発明は上記問題点を解消し、打撃時における連結帯の形状に関係なく、ノーズ部に供給した先頭釘の姿勢を常に正しくすることができる釘打機のノーズ部構造を提供することをその課題とする。
【０００６】
【課題を解決するための手段】
前記課題を解決するため、本発明に係る釘打機のノーズ部構造は、釘打機本体の先端に設けられ、マガジンから供給された連結釘の先頭釘を打ち出すための釘打機のノーズ部において、ノーズ部内側の前壁には、上記先頭釘の頭部をガイドする上部溝と、先頭釘の連結帯に干渉しないように逃がす逃がし溝を有する中間溝と、先頭釘の足先をガイドする下部溝とを連続して形成し、上記中間溝の溝の深さを上部溝と下部溝よりも深くなるように形成したことを特徴とする。
【０００７】
【発明の実施の形態】
図１は釘打機のノーズ部の要部の側面図を示す。図において符号１は空気圧駆動式の釘打機本体、２はノーズ部、３はマガジンを示す。釘打機本体１の内部には圧縮空気を利用する打撃機構（図示せず）が配置され、トリガレバーを引き操作することにより打撃機構を作動させ、打撃機構によってドライバ４を駆動してマガジン３からノーズ部２に供給された釘を打撃して打ち出すように構成されている。
【０００８】
【課題を解決するための手段】
前記課題を解決するため、本発明に係る釘打機のノーズ部構造は、釘打機本体の先端に設けられ、マガジンから供給された連結釘の先頭釘を打ち出すための釘打機のノーズ部において、ノーズ部内側の前壁には、上記先頭釘の頭部をガイドする上部溝と、先頭釘の連結帯に干渉しないように逃がす中間溝と、先頭釘の足先をガイドする下部溝とを連続させたガイド溝とを形成し、上記各溝の開口幅は同じくするとともに、上記中間溝の溝の深さを上部溝と下部溝よりも深くなるように形成し、上記先頭釘の頭部と足先がそれぞれ上記上部溝と下部溝にそれぞれ係合した姿勢で打撃されることを特徴とする。
【０００９】
ところで、ノーズ部２内側の前壁にはその長手方向に沿ってガイド溝８が連続形成されている。このガイド溝８は上部溝８ａと中間溝８ｂと下部溝８ｃとから構成されている。
【００１０】
上部溝８ａは、従来のガイド溝８と同じく上記先頭釘５ａの頭部をガイドするものであり、打ち込み時には図２(a) に示すように、釘の頭部９の縁は上部溝８ａの開口縁に係合して安定した状態で移動する。
【００１１】
中間溝８ｂは、同図(b) に示すように、先頭釘５ａの連結帯６の前端部６ａに干渉しないように逃がす逃がし溝で、連結帯６に対応する部位に設けられ、従来のガイド溝よりも溝の深さは深くなるように形成されている。具体的には、先頭の釘が打ち込まれたときに次位の釘とを連結する連結帯の一部が切断されるので、上記次位の釘（次の先頭釘５ａ）がノーズ部に送られたとき、その前部に残された連結帯６の残り６ａが最大になるときに、この残った前部６ａが入り込むのに十分な深さに設定すればよい。
【００１２】
下部溝８ｃは、同図(c) に示すように、先頭釘５ａの足先１０をガイドするもので、ノーズ部２の下端にまで延びている。下部溝８ｃは足先１０をガイドするが、同時に下部溝８ｃは連結帯の前部６ａの摺動を案内し、またその開口縁はドライバ４によって打ち出された先頭釘５ａの頭部９をもガイドする。下部溝８ｃの上端は釘長が最も短い連結釘を使用したときに、その先頭釘の足先が係合する位置に設定しておけばよい。
【００１３】
なお、図３に示されるように、上記各溝のうち、上部溝８ａと下部溝８ｃの溝の深さはほぼ等しいが、中間溝８ｂの溝の深さは上部溝８ａと下部溝８ｃよりも深くなるように形成され、中間溝８ｂと下部溝８ｃとの間には傾斜面１２が形成されている。
【００１４】
また、各溝の開口幅は同じに形成されている。これは打撃時に先頭釘５ａの頭部に係合して安定に移動させるようにするためである。
【００１５】
上記構成によれば、マガジン３から連結釘の先頭釘が供給された後、打撃機構により駆動されたドライバ４が上記先頭釘を打撃し、先頭釘がノーズ部２に沿って打ち出されるので、次位の釘と連結する連結帯の一部が切断され、一部は連結帯から分離して打ち出された先頭釘とともにノーズ部２から出る。残りは次位の釘の前部に残る。
【００１６】
釘打ち込み終了後、次位の釘が先頭釘５ａとなってノーズ部２に送り出される。そして、先頭釘５ａの頭部９は上部溝８ａに係合し、連結帯６の前部６ａは中間溝８ｂに入り込み、また足先１０は下部溝８ｃに係合する。中間溝８ｂは最も深く形成されているから、先頭釘５ａの前部に切断された連結帯６の残りが多く形成されている場合であっても、十分に内部に入り込むことができる。したがって、先頭釘５ａはノーズ部２内で、常にその頭部が上部溝８ａの開口縁に、足先が下部溝８ｃにそれぞれ係合した正規の姿勢を確保することができる。そのため、正しい姿勢でドライバの打撃を受けるので、先頭釘５ａの足先が後方に回って座屈するという問題がない。
【００１７】
このように、上記ノーズ部２構造によれば、打撃時における連結帯６の形状に関係なく、ノーズ部２に供給した先頭釘５ａの姿勢を常に正しくすることができる。
【００１８】
なお、連結帯６の前部は傾斜面１２から下部溝８ｃに乗り上げるので、このときに連結帯６の残り６ａが大きければ足先が下部溝８ｃから浮いてしまう。しかし、連結帯６が下部溝８ｃに乗り上げる段階では、長い釘の場合には既に釘の足先１０が被打込み材に着地しており、また短い釘の場合でも足先が被打込み材の表面に着地する寸前であるため、足先が後方（マガジン側）に突出することがない。このため、座屈するという現象は発生しない。
【００１９】
また、下部溝８ｃの深さを中間溝８ｂと同じにすれば、連結帯６が下部溝８ｃに入り込んだ状態が保持されるので、打ち込み作動時に先頭釘５ａは安定に移動する。しかし、その反面、ノーズ部２内に先頭釘５ａが供給されたとき、その足先が深い下部溝８ｃの溝底に接触できずに浮き上がることになるから、姿勢が不安定になり、打ち込み不良が生じる原因になる。したがって、下部溝８ｃの深さは中間溝８ｂよりも浅くなるように形成する。ただし、必ずしも図示例のように部溝と上部溝８ａの深さを同じにする必要はない。上部溝８ａの深さは、先頭釘５ａの足先とは関係がないからである。
【図面の簡単な説明】
【図１】連結釘を含む釘打機のノーズ部の拡大中央断面図
【図２】  (a) (b) (c) はそれぞれ図１のＸーＸ線上、ＹーＹ線及びＺーＺ線上の拡大断面図
【図３】上記ノーズ部の拡大中央断面図
【図４】  (a) (b) (c) はそれぞれノーズ部内における正しい姿勢の先頭釘、足先が浮いた状態の先頭釘及び頭部と足先が浮いた状態の先頭釘の状態を示す側面の断面図
【符号の説明】
２  ノーズ部
３  マガジン
６  連結帯
８  ガイド溝
８ａ  上部溝
８ｂ  中間溝
８ｃ  下部溝
【図１】
0004081959.tif 000002
【図２】
0004081959.tif 000003
【図３】
0004081959.tif 000004
【図４】
0004081959.tif 000005